(57)【要約】      （修正有）【課題】ハイキャビネットのクイックリリース構造を提供する。【解決手段】クイックリリース構造は上スライドレールユニット１、結合サポートフレーム２、前定位ユニット３、後定位台４、トレイ５、左、右係合ユニット６、及び下スライドレールユニット７等の構成部材からなり、木製キャビネット引き出しを取り外す時には、先ず前定位ユニットの前定位ブロック３２を外へ引けば、内レール１２を前から後ろへ押すことができ、前定位棒１２１は前定位台３１の容槽３１２から離脱し、同時に内レールの後定位棒１２２も後定位台の制限槽４１を離脱し、続いて左、右係合ユニットの係合部材６２を押し係合部材を回転させ、嵌合部は下スライドレールユニットの底定位フレーム７３と左、右両側の係合槽７３２１から離脱し、便利に取り外しができる。【選択図】図１
0003210142.tif 000002
【実用新案登録請求の範囲】
【請求項１】
ハイキャビネットのクイックリリース構造は、上スライドレールユニット、結合サポートフレーム、前定位ユニット、後定位台、トレイ、左、右係合ユニット及び下スライドレールユニットを備え、
該上スライドレールユニットは、少なくとも１個の外レールと少なくとも１個の内レールを備え、該内レールは外レールに相対して前、後方向にスライドし、該外レールは、複数の第一螺合固定パーツにより、前方が開放状のキャビネットの上壁面の下面と螺合して接合し、該内レールは、下方へと伸び出す前定位棒と後定位棒を間隔を開けて設置し、
該結合サポートフレームは、複数の第二螺合固定パーツにより、木製キャビネット引き出しの上壁面と螺合して固定接合し、該結合サポートフレームは、複数の第三、四螺合固定パーツにより、前定位ユニット、後定位台及び木製キャビネット引き出しの上壁面と螺合して接合され、
該前定位ユニットは、該上スライドレールユニットの内レールの前定位棒を嵌合し、或いは離脱し、
該後定位台は、該上スライドレールユニットの内レールの前、後スライド方向に対応する制限槽を備え、これにより上スライドレールユニットの内レールの前定位棒を通過させ、これにより該内レールの後定位棒を収容し、或いは離脱させ、該制限槽は、後定位棒を収容すると該後定位棒を制限して定位し、左右にグラグラしたり、偏移したりすることはなく、
該トレイは、平坦なトレイ面を備え、該トレイ面前側には、複数の穿孔を備え、複数の第五螺合固定パーツにより、木製キャビネット引き出しの底壁面の前側と、螺合して接合し、該トレイ面の後側には、複数の穿孔を備える湾曲屈折定位片を設置し、複数の第六螺合固定パーツにより、木製キャビネット引き出しの後壁面下端縁と螺合して接合し、該トレイ面の左、右両側は下方へと湾曲屈折して左、右に相対する両側折壁を延伸し、該トレイ面は、下スライドレールユニットにスライドして入り、前、後にスライドし、該トレイ面の後方には、少なくとも１個の定位槽部を設置し、しかも該トレイ面の前方左、右両側には、複数の穿孔を設置し、複数の第七螺合固定パーツにより、木製キャビネット引き出しの底壁面の前方及び左、右係合ユニットと螺合して接合され、
該左、右係合ユニットは、該トレイの左、右両側に設置され、下スライドレールユニット前方の左、右両側と係合或いは離脱し、
該下スライドレールユニットは、下固定フレーム、該下固定フレームに相対して前、後にスライドする内ブラケットを備え、該内ブラケットの上方は、底定位フレームと接合して固定され、これにより該底定位フレームは、内ブラケットと共に、下固定フレームの前、後方向に相対してスライドし、該下固定フレームは、複数の第八螺合固定パーツにより、キャビネットの下壁面の上面と接合して固定され、該底定位フレームの後方には、少なくとも１個の係止片を設置し、該トレイのトレイ面後端には、少なくとも１個の定位槽部を定位し、並びに係止し、該底定位フレームの左、右両側には、相対する側壁を備え、しかも両側壁は、それぞれ係合槽を備え、左、右係合ユニットにより係合され、或いは離脱することを特徴とするハイキャビネットのクイックリリース構造。
【請求項２】
前記前定位ユニットは、前定位台、前定位ブロック、バネ、台蓋を備え、
該前定位台には、穿孔を設置し、該第三螺合固定パーツにより、結合サポートフレーム及び木製キャビネット引き出しと接合して固定され、該前定位台には、前、後方向の容槽及び該容槽の反対側と横方向に連通する導槽を設置し、前定位ブロックを案内し、導槽に相対して横方向にスライドさせ、該前定位ブロックは、バネを備え、定位部はバネを定位し、しかもバネの反対端は該台蓋に対応して設置される当接部により当接され、該台蓋は別に第九螺合固定パーツにより、前定位台と接合して固定され、当接部を通して、バネと前定位ブロックの、前定位台の導槽からの離脱を防止し、これにより該前定位ブロック片側の定位部は、該容槽内に位置し、これにより、該上スライドレールユニットの内レールに設置する前定位棒は先ず、前定位ブロックの定位部を押し上げて連動し、これにより前定位ブロックはバネを圧縮し横方向に移動させ、前定位台の容槽から離れ、該前定位棒が定位部を離脱し、容槽の前端に位置すると、前定位ブロックは、バネの弾性力により復位し、定位部により該前定位棒を嵌合し、しかも該前定位ブロックが外から引かれ、横方向に移動し、導槽を離れると、相対して、前定位棒は前定位台の容槽から離れることを特徴とする請求項１に記載のハイキャビネットのクイックリリース構造。
【請求項３】
前記前定位ユニットの前定位ブロックの定位部前端には、導引部を備え、該上スライドレールユニットの内レールの前定位棒をスムーズに導入することを特徴とする請求項２に記載のハイキャビネットのクイックリリース構造。
【請求項４】
前記後定位台の前、後両側には、それぞれガイド斜面を備え、上スライドレールユニットの後定位棒の前、後方向の通過、或いは該後定位台の制限槽への収納に便利であることを特徴とする請求項１に記載のハイキャビネットのクイックリリース構造。
【請求項５】
前記左、右係合ユニットは、台本体と係合部材をそれぞれ備え、
該台本体には、複数の穿孔を設置し、それぞれ該複数の第七螺合固定パーツにより、トレイの左、右両側及び木製キャビネット引き出しの底壁面と螺合して接合し、該台本体は、設置する枢接部を通して、係合部材に設置する枢槽と枢接し、
該係合部材は、弾性部を延伸、或いは連接し、これにより、該弾性部の反対端は、台本体に対応して設置される制限槽部に接触し、該左、右係合ユニットの係合部材は、嵌合部を備え、該下スライドレールユニットの底定位フレーム左、右両側の係合槽に係合し、或いは離脱し、しかも該係合部材の嵌合部は、ガイド斜面部をさらに連接し、嵌合部を案内して、該下スライドレールユニット左、右両側の係合槽にスムーズに係合させることを特徴とする請求項１に記載のハイキャビネットのクイックリリース構造。
【請求項６】
前記下スライドレールユニットの下固定フレームは、下壁を備え、及び該下壁左、右両側の左、右側壁を連接し、
該下壁により、該キャビネットの下壁面の上面と接合し、該左、右側壁は、固定レール、及び該固定レールに相対し前、後方向にスライドする可動レールをそれぞれ取り付けて接合し、
該下スライドレールユニットの内ブラケットは、上パレット、及び該上パレット左、右両側に連接する左、右連接壁を備え、
該左、右連接壁は、それぞれ該可動レールと接合して固定され、該内ブラケットの上パレットは、該下スライドレールユニットの底定位フレームと接合して固定され、これにより内ブラケットは、可動レール及び底定位フレームを従え、下固定フレームに相対して前、後方向にスライドすることを特徴とする請求項１に記載のハイキャビネットのクイックリリース構造。
【考案の詳細な説明】
【技術分野】
【０００１】
本考案はハイキャビネットのクイックリリース構造に関し、特に木製キャビネット引き出しがキャビネットから便利に取り外せ、便利に取り付けられるハイキャビネットのクイックリリース構造に関する。
【背景技術】
【０００２】
従来のハイキャビネットは、木製キャビネット引き出しとキャビネットを備え、その間に設置される上スライドレールユニットと下スライドレールユニットにより、木製キャビネット引き出しは前、後にスライドし、外へと開かれ、内へと締め戻される。
【０００３】
しかし、木製キャビネット引き出しの上、下は共に螺合固定方式により上、下スライドレールユニットを固定するため、取り外し或いは取り付け作業が非常に面倒で時間が無駄になる。
特に、木製キャビネット引き出しは高さも重量もあるため、取り付け或いは取り外し作業の過程で、押し入れたり引き出したりする動作は非常に力が要る。
本考案は、従来の木製キャビネット引き出しの上記した欠点に鑑みてなされたものである。
【先行技術文献】
【特許文献】
【０００４】
【特許文献１】特開2004-283186号公報
【考案の概要】
【考案が解決しようとする課題】
【０００５】
本考案が解決しようとする第一の課題は、木製キャビネット引き出しがキャビネットから迅速かつ便利に取り外され、或いは取り付けられるハイキャビネットのクイックリリース構造を提供することである。
【０００６】
本考案が解決しようとする第二の課題は、木製キャビネット引き出しの取り外し或いは取り付け時に、後ろから前へと引き出し、或いは前から後ろへと押し戻す動作が安定し、しかも安全で、省力化できるハイキャビネットのクイックリリース構造を提供することである。
【０００７】
本考案が解決しようとする第三の課題は、取り付け後のトレイのトレイ面の後方定位槽部は下スライドレールユニットの係止片により係止して定位され、取り付けの堅固性をさらに高められるハイキャビネットのクイックリリース構造を提供することである。
【課題を解決するための手段】
【０００８】
上記課題を解決するため、本考案は下記のハイキャビネットのクイックリリース構造を提供する。
【考案の効果】
【０００９】
本考案のハイキャビネットのクイックリリース構造は、木製キャビネット引き出しはキャビネットから迅速かつ便利に取り外され或いは取り付けられ、さらに木製キャビネット引き出しの取り外し或いは取り付け時に、後ろから前へと引き出し、或いは前から後ろへと押し戻す動作が安定し、しかも安全で、省力化でき、また取り付け後のトレイのトレイ面の後方定位槽部は下スライドレールユニットの係止片により係止して定位され、取り付けの堅固性をさらに高められる。
【図面の簡単な説明】
【００１０】
【図１】本考案実施形態による上スライドレールユニット、前定位ユニット、後定位台、結合サポートフレーム、トレイ、左、右係合ユニット、下スライドレールユニットの部分構成部材の分解状態立体拡大図である。
【図２】本考案実施形態による上スライドレールユニットと下スライドレールユニットをキャビネットに取り付ける様子を示す立体模式図である。
【図３】本考案実施形態による前定位ユニット、後定位台、結合サポートフレーム及びトレイを木製キャビネット引き出しに取り付け、左、右係合ユニットが分解状態を呈する立体模式図である。
【図４】本考案実施形態による木製キャビネット引き出しを、キャビネットに設置する下スライドレールユニットの下定位フレーム上方にセットする様子を示す立体模式図である。
【図５】本考案実施形態による木製キャビネット引き出しが内（後）へとキャビネットに押し入れられる前の立体模式図である。
【図６】本考案実施形態による木製キャビネット引き出しが内（後）へとキャビネットに押し入れられる前の別の角度からの立体模式図である。
【図７】本考案実施形態による木製キャビネット引き出しが内（後）へとキャビネットに押し入れられる前の別の角度からの立体拡大模式図である。
【図８】本考案実施形態による木製キャビネット引き出しが内（後）へとキャビネットに押し入れられる前の仰視立体模式図である。
【図９】本考案実施形態による木製キャビネット引き出しが内（後）へとキャビネットに押し入れられる前の仰視部分立体拡大模式図である。
【図１０】本考案実施形態による上スライドレールユニットの内レールの前、後定位棒と前定位ユニット、後定位台及び結合サポートフレームの俯視組合せ平面模式図である。
【図１１】本考案実施形態によるトレイと下スライドレールユニットの組合せ状態立体拡大図である。
【図１２】本考案実施形態による上スライドレールユニットの立体拡大図である。
【図１３】本考案実施形態による前定位ユニット、後定位台と結合サポートフレームの立体組合せ拡大図である。
【図１４】本考案実施形態による前定位ユニットの立体分解拡大図である。
【図１５】本考案実施形態による左、右係合ユニットの立体分解拡大模式図である。
【図１６】本考案実施形態による左、右係合ユニットの立体拡大模式図である。
【図１７】本考案実施形態による前定位ユニットの前定位ブロックが開かれた時の俯視平面模式図である。
【図１８】本考案実施形態による上スライドレールユニットの前、後定位棒が前定位ユニットを離脱し、しかも左、右係合ユニットが押される様子を示す立体模式図である。
【図１９】本考案実施形態による上スライドレールユニットの前、後定位棒が前定位ユニットを離脱し、しかも左、右係合ユニットが押される様子を示す部分立体拡大模式図である。
【考案を実施するための形態】
【００１１】
以下に図面を参照しながら本考案を実施するための最良の形態について詳細に説明する。
【００１２】
図１〜図１９に示すように、本考案によるハイキャビネットのクイックリリース構造は、上スライドレールユニット１、結合サポートフレーム２、前定位ユニット３、後定位台４、トレイ５、左、右係合ユニット６、下スライドレールユニット７を備える。
【００１３】
該上スライドレールユニット１（図１参照）は、少なくとも外レール１１と内レール１２を有し、該内レール１１は外レール１２に相対して前、後方向にスライドする。
【００１４】
該外レール１１は、複数の第一螺合固定パーツ８０１（図１参照）により、前方が開放状のキャビネット９１の上壁面の下面９１１（図２参照）と螺合して接合し、該内レール１２は、下方へと伸び出す前定位棒１２１と後定位棒１２２を、間隔を開けて設置する。
【００１５】
該結合サポートフレーム２は、複数の第二螺合固定パーツ８０２（図３参照）により、木製キャビネット引き出し９２の上壁面９２１（図３参照）と螺合して固定接合し、該結合サポートフレーム２は、複数の第三、四螺合固定パーツ８０３、８０４（図３参照）により、前定位ユニット３、後定位台４及び木製キャビネット引き出し９２の上壁面９２１とそれぞれ螺合して接合される。
【００１６】
該前定位ユニット３は、該上スライドレールユニット１の内レール１２の前定位棒１２１を嵌合し、或いは離脱する。
【００１７】
該後定位台４は、該上スライドレールユニット１の内レール１２の前、後スライド方向に対応する制限槽４１を備え、これにより上スライドレールユニット１の内レール１２の前定位棒１２１を通過させ、これにより該内レール１２の後定位棒１２２を収容し、或いは離脱させ、該制限槽４１が後定位棒１２２を収容する（図１０参照）と制限し、該後定位棒１２２を定位して、左右にグラグラしたり、偏移したりすることはない。
【００１８】
該トレイ５は、平坦なトレイ面５１を備え、該トレイ面５１前側には、複数の穿孔５１０を備え（図１、図３参照）、複数の第五螺合固定パーツ８０５（図３参照）により、木製キャビネット引き出し９２の底壁面９２２（図３参照）前側と、螺合して接合する。
【００１９】
該トレイ面５１の後側には、複数の穿孔５１１１（図１、図３参照）を備える湾曲屈折定位片５１１を設置し、複数の第六螺合固定パーツ８０６（図３参照）により、木製キャビネット引き出し９２の後壁面下端縁９２３（図３参照）と螺合して接合する。
【００２０】
該トレイ面５１の左、右両側は下方へと湾曲屈折して左、右相対の両側折壁５１２を延伸し、該トレイ面５１は、下スライドレールユニット７にスライドして入り、前、後にスライドする。
【００２１】
該トレイ面５１の後方には、少なくとも１個の定位槽部５１３を設置する（図１、図３参照、図１１参照）。
【００２２】
しかも、該トレイ面５１の前方左、右両側には、複数の穿孔５１４を設置し、複数の第七螺合固定パーツ８０７により、木製キャビネット引き出し９２の底壁面９２２前方及び左、右係合ユニット６と螺合して接合される。
【００２３】
左、右係合ユニット６（本実施形態では左、右係合ユニットは相同の符号を採用する）（図１、図３、図８、図９、図１５、図１６参照）は、該トレイ５の左、右両側に設置され、下スライドレールユニット７前方の左、右両側と係合（図８、図９参照）或いは離脱する（図１８、図１９参照）。
【００２４】
該下スライドレールユニット７は、下固定フレーム７１（図１参照）、該下固定フレーム７１に相対して前、後にスライドする内ブラケット７２を備える。
【００２５】
該内ブラケット７２の上方は、底定位フレーム７３と接合して固定され、これにより該底定位フレーム７３は、内ブラケット７２と共に、下固定フレーム７１の前、後方向に相対してスライドする。
【００２６】
該下固定フレーム７１は、複数の第八螺合固定パーツ８０８（図２参照）により、キャビネット９１の下壁面の上面９１２と（図２参照）接合して固定され、該底定位フレーム７３の後方には、少なくとも１個の係止片７３１を設置（図１、図２、図１１参照）し、該トレイ５のトレイ面５１後端少なくとも１個の定位槽部５１３を定位し、並びに係止する（図１、図３、図１１参照）。
【００２７】
該底定位フレーム７３の左、右両側には、相対する側壁７３２を備え、しかも両側壁７３２は、それぞれ係合槽７３２１を備え（図１、図２、図１１参照）、左、右係合ユニット６により係合され（図８、図９）、或いは離脱する（図１８、図１９参照）。
【００２８】
さらに、該前定位ユニット３（図１、図７、図１０、図１３、図１４参照）は、前定位台３１（図１、図７、図１４参照）、前定位ブロック３２、バネ３３（図１、図１４参照）、台蓋３４を備える。
【００２９】
前定位台３１には、穿孔３１１を設置し、該第三螺合固定パーツ８０３により、結合サポートフレーム２及び木製キャビネット引き出し９２と接合して固定される。
【００３０】
該前定位台３１には、前、後方向の容槽３１２（図７、図１０、図１４参照）及び該容槽３１２の反対側と横方向に連通する導槽３１３（図７、図１０、図１４参照）を設置し、前定位ブロック３２を案内し、導槽３１３に相対して横方向にスライドさせる。
【００３１】
該前定位ブロック３２は、バネ定位槽３２１などのバネ定位部を備え（図１０参照、図１４参照）、バネ３３を定位し、しかも由バネ３３の反対端は、該台蓋３４に対応して設置される当接部３４１（図７、図１０、図１７参照）により当接され、該台蓋３４は別に第九螺合固定パーツ８０９（図７、図１０参照）により、前定位台３１と接合して固定される。
【００３２】
当接部３４１を通して、バネ３３と前定位ブロック３２の、前定位台３１の導槽３１３からの離脱を防止し、これにより該前定位ブロック３２片側の定位部３２２は、該容槽３１２（図７、図１０参照）内に位置する。
【００３３】
これにより、該上スライドレールユニット１の内レール１２に設置する前定位棒１２１は先ず、前定位ブロック３２の定位部３２２を押し上げて連動し、これにより前定位ブロック３２はバネ３３を圧縮し（図１７参照）横方向に移動させ、前定位台３１の容槽３１２から離れる。
【００３４】
該前定位棒１２１が定位部３２２を離脱し、容槽３１２前端３１２１に位置すると（図７、図１０参照）、前定位ブロック３２は、バネ３３の弾性力により復位し、定位部３２２により該前定位棒１２１を嵌合する（図１０参照）。
【００３５】
しかも、該前定位ブロック３２が外から引かれ、横方向に移動し、導槽３１３を離れると、相対して、前定位棒１２１は前定位台３１の容槽３１２から離れる（図１７参照）。
【００３６】
また、該前定位ユニット３の前定位ブロック３２の定位部３２２前端には、導引部を３２２１備え（図７、図１３、図１４参照）、該上スライドレールユニット１の内レール１２の前定位棒１２１をスムーズに導入する。
【００３７】
該後定位台４の前、後両側には、それぞれガイド斜面４１１、４１２を備え（図１、図１０、図１３参照）、上スライドレールユニット１の後定位棒１２２の前、後方向通過、或いは該後定位台４の制限槽４１への収納に便利である。
【００３８】
該左、右係合ユニット６（図１、図３、図８、図９、図１５、図１６参照）は、台本体６１と係合部材６２をそれぞれ備え、該台本体６１には、複数の穿孔６１１を設置し（図３参照）、それぞれ該複数の第七螺合固定パーツ８０７により、トレイ５の左、右両側及び木製キャビネット引き出し９２の底壁面９２２と螺合して接合する。
【００３９】
該台本体６１は、設置する枢接部６１２（図１５、図１６参照）を通して、係合部材６２に設置する枢槽６２１と枢接し、該係合部材６２は、弾性部６２２を延伸、或いは連接する（図１５、図１６参照）。
【００４０】
これにより、該弾性部６２２の反対端６２２１（図１５、図１６参照）は、台本体６１に対応して設置される制限槽部６１３に接触し、該左、右係合ユニット６の係合部材６２は、嵌合部６２４（図８、図１５、図１６参照）を備え、該下スライドレールユニット７の底定位フレーム７３左、右両側の係合槽７３２１（図８参照）に係合し、或いは離脱する。
【００４１】
しかも、該係合部材６２の嵌合部６２４は、ガイド斜面部６２４１（図８、図１５、図１６参照）をさらに連接し、嵌合部６２４を案内して、該下スライドレールユニット７左、右両側の係合槽７３２１にスムーズに係合させる。
【００４２】
さらに、該下スライドレールユニット７の下固定フレーム７１は、下壁７１１を備え（図１、図１１参照）及び下壁７１１左、右両側の左、右側壁７１２を連接する。
【００４３】
該下壁７１１により、該キャビネット９１の下壁面の上面９１２（図２参照）と接合し、而該左、右側壁７１２は、固定レール７４、及び該固定レール７４に相対し前、後方向にスライドする可動レール７５をそれぞれ取り付けて接合する（図１、図１１参照）。
【００４４】
該下スライドレールユニット７の内ブラケット７２は、上パレット７２１、及び該上パレット７２１左、右両側に連接する左、右連接壁７２２を備える。
【００４５】
該左、右連接壁７２２は、それぞれ該可動レール７５と接合して固定され、該内ブラケット７２の上パレット７２１は、該下スライドレールユニット７の底定位フレーム７３と接合して固定され（図１参照）、これにより内ブラケット７２は、可動レール７５及び底定位フレーム７３を従え、下固定フレーム７１に相対して前、後方向にスライドする。
【００４６】
上記構成部材の組成により、木製キャビネット引き出し９２を取り外そうとする時には、先ず前定位ユニット３の前定位ブロック３２を外へと引き、それを横方向に移動させバネ３３を圧縮すれば（図１７参照）、前定位ブロック３２の定位部３２２を横方向に移動させ、前定位台３１の容槽３１２から離すことができる。
【００４７】
こうして、内レール１２の前定位棒１２１を未嵌合となり、内レール１２を前から後ろへとキャビネット９１方向へと押せば（図４参照）、内レール１２の前定位棒１２１は前定位台３１の容槽３１２から離脱する。
【００４８】
同時に、該内レール１２の後定位棒１２２も定位台４の制限槽４１を離脱し（図４参照）、続いて左、右係合ユニット６の係合部材６２（図１８、図１９参照）を押す。
【００４９】
これにより、係合部材６２は回転し、嵌合部６２４は、下スライドレールユニット７の底定位フレーム７３左、右両側の係合槽７３２１から離脱する。
【００５０】
こうして取り外しを完成でき、木製キャビネット引き出し９２を、後から前へと外へと引き出し、キャビネット９１から離脱させる。
【００５１】
木製キャビネット引き出し９２の底壁面９２２に接合して固定するトレイ５は、平坦なトレイ面５１を備えるため、木製キャビネット引き出し９２は、下スライドレールユニット７の底定位フレーム７３に相対して、後ろから前へとスライドし、こうして引き出し動作がスムーズかつ安定的で、しかも省力の目的を鉄製でき、しかも木製キャビネット引き出し９２は完全に引き出され移動させられるため、非常に便利である。
【００５２】
木製キャビネット引き出し９２をキャビネット９１に組み入れる時には、先ず上スライドレールユニット１の内レール１２及び下スライドレールユニット７の底定位フレーム７３を後ろから前へとスライドさせ外へと引き出す（図２参照）。
【００５３】
続いて、木製キャビネット引き出し９２を底定位フレーム７３上にセットする（図４参照）。
【００５４】
次に、ゆっくりと後方へ該木製キャビネット引き出し９２をキャビネット９１内に押し入れ、同時に木製キャビネット引き出し９２上方に接合される後定位台４の制限槽４１により、内レール１２の前定位棒１２１を通して、内レール１２の後定位棒１２２を収容する。
【００５５】
木製キャビネット引き出し９２上方に接合する前定位ユニット３の前定位ブロック３２の定位部３２２前端の導引部３２２１は、その流れで前定位棒１２１に押されて連動される（図１７参照）。
【００５６】
これにより、前定位ブロック３２は同時にバネ３３を圧縮し、導槽３１３に従い横方向に移動し、定位ブロック３２の定位部３２２は容槽３１２の前端３１２１から離れる。
【００５７】
前定位棒１２１は前定位ブロック３２を通過すると、バネ３３の回復力により復位し、定位部３２２は前定位棒１２１を嵌合する（図６、図７、図１０参照）。
【００５８】
しかも同時に、内レール１２の後定位棒１２２は該後定位台４の制限槽４１中に入り定位される。
【００５９】
左、右係合ユニット６の係合部材６２の嵌合部６２４のガイド斜面部６２４１が、下スライドレールユニット７の底定位フレーム７３左、右両側前縁７３０に接触すると（図９、図１０参照）、同時にその流れで係合部材６２は回転し、その流れで、該底定位フレーム７３左、右両側の係合槽７３２１に係合される（図１７参照）。
【００６０】
この時、トレイ５のトレイ面５１後方の定位槽部５１３は、下スライドレールユニット７の底定位フレーム７３の係止片７３１（図１、図２、図１１参照）により定位係止され、こうして取り付け定位はより堅固となり、取り付けの動作を完成する。
【００６１】
上記を総合すると、本考案は以下の効果を備える。
1. 木製キャビネット引き出し９２を取り外そうとする時には、先ず前定位ユニット３の前定位ブロック３２を外へと引けば（図１７参照）、前定位棒１２１は前定位ユニット３を未嵌合となり、内レール１２を後方へ押せば、前、後定位棒１２１、１２２を前定位ユニット３の容槽３１２と後定位台４の制限槽４１から完全に離脱させられ、左、右係合ユニット６の係合部材６２を押せば（図１８、図１９参照）、嵌合部６２２は下スライドレールユニット７の底定位フレーム７３左、右両側の係合槽７３２１から離脱し、こうして取り外しを完成でき、木製キャビネット引き出し９２を、後から前へと外へと引き出すことができる。
2. 木製キャビネット引き出し９２の底壁面９２２に接合して固定するトレイ５は平坦なトレイ面５１を備えるため、木製キャビネット引き出し９２は先ず下スライドレールユニット７の底定位フレーム７３に相対して後ろから前へとスライドでき、よって引き出し動作がスムーズかつ安定的で、しかも安全で労力を節減できる。
3. 木製キャビネット引き出し９２を取り付ける時には、上スライドレールユニット１の前定位棒１２１を利用し、前定位ユニット３の前定位ブロック３２により係合され（図６、図７、図１０参照）、後定位棒１２２は後定位台４の制限槽４１により制限定位され、同時に左、右係合ユニット６の係合部材６２の嵌合部６２４は下スライドレールユニット７の底定位フレーム７３左、右両側の係合槽７３２１は嵌合する（図８参照）ため、取り付けを便利に完成できる。
4. 木製キャビネット引き出し９２を前から後ろへとキャビネット９１に押し戻す時には、底壁面９２２に接合するトレイのトレイ面５１（図１、図１１参照）は、下スライドレールユニット７の底定位フレーム７３に相対して前から後ろへとスライドするため、内側へと押す動作は安定的かつスムーズで、しかも安全で省力でき、トレイ５後方の定位槽部５１３は下スライドレールユニット７の係止片７３１（図１、図２、図１１参照）により係止して定位されるため、こうして取り付け定位はより堅固となる。
【００６２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００６３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００６４】
１  上スライドレールユニット
１１  外レール
１２  内レール
１２１  前定位棒
１２２  後定位棒
２  結合サポートフレーム
３  前定位ユニット
３１  前定位台
３１１  穿孔
３１２  容槽
３１２１  前端
３１３  導槽
３２  前定位ブロック
３２１  バネ定位槽
３２２  定位部
３２２１  導引部
３３  バネ
３４  台蓋
３４１  当接部
４  後定位台
４１  制限槽
４１１、４１２  ガイド斜面
５  トレイ
５１  トレイ面
５１０、５１１１、５１４、６１１  穿孔
５１１  湾曲屈折定位片
５１２  両側折壁
５１３  定位槽部
６  左、右係合ユニット
６１  台本体
６１２  枢接部
６１３  制限槽部
６２  係合部材
６２１  枢槽
６２２  弾性部
６２２１  反対端
６２４  嵌合部
６２４１  ガイド斜面部
７  下スライドレールユニット
７１  下固定フレーム
７１１  下壁
７１２  左、右側壁
７２  内ブラケット
７２１  上パレット
７２２  左、右連接壁
７３  底定位フレーム
７３０  前縁
７３１  係止片
７３２  側壁
７３２１  係合槽
７４  固定レール
７５  可動レール
８０１  第一螺合固定パーツ
８０２  第二螺合固定パーツ
８０３  第三螺合固定パーツ
８０４  第四螺合固定パーツ
８０５  第五螺合固定パーツ
８０６  第六螺合固定パーツ
８０７  第七螺合固定パーツ
８０８  第八螺合固定パーツ
８０９  第九螺合固定パーツ
９１  キャビネット
９１１  上壁面の下面
９１２  下壁面の上面
９２  木製キャビネット引き出し
９２１  上壁面
９２２  底壁面
９２３  後壁面下端縁
【図１】
0003210142.tif 000003
【図２】
0003210142.tif 000004
【図３】
0003210142.tif 000005
【図４】
0003210142.tif 000006
【図５】
0003210142.tif 000007
【図６】
0003210142.tif 000008
【図７】
0003210142.tif 000009
【図８】
0003210142.tif 000010
【図９】
0003210142.tif 000011
【図１０】
0003210142.tif 000012
【図１１】
0003210142.tif 000013
【図１２】
0003210142.tif 000014
【図１３】
0003210142.tif 000015
【図１４】
0003210142.tif 000016
【図１５】
0003210142.tif 000017
【図１６】
0003210142.tif 000018
【図１７】
0003210142.tif 000019
【図１８】
0003210142.tif 000020
【図１９】
0003210142.tif 000021